(57)【要約】【課題】簡易な構成であり、かつ簡易な操作で位置決めを行うことができる顕微鏡ステージを提供すること。【解決手段】顕微鏡ステージは、顕微鏡本体に固定される下ステージ部と、前記下ステージ部に対して予め定められた方向へ移動可能に保持される上ステージ部と、前記上ステージ部に対して前記予め定められた方向に直交する方向へ移動可能に保持される横ガイド部と、前記上ステージ部及び前記横ガイド部を移動させる操作を受け付ける操作ハンドルと、前記横ガイド部に保持されており、標本が載置されるステージプレートであって、曲げ剛性が小さい樹脂シートによって形成されており、主面が前記上ステージ部の上面と接触しているステージプレートと、を備える。【選択図】図１
2018072439.tif 000002
【特許請求の範囲】
【請求項１】
顕微鏡本体に固定される下ステージ部と、
前記下ステージ部に対して予め定められた方向へ移動可能に保持される上ステージ部と、
前記上ステージ部に対して前記予め定められた方向に直交する方向へ移動可能に保持される横ガイド部と、
前記上ステージ部及び前記横ガイド部を移動させる操作を受け付ける操作ハンドルと、
前記横ガイド部に保持されており、標本が載置されるステージプレートであって、曲げ剛性が小さい樹脂シートによって形成されており、主面が前記上ステージ部の上面と接触しているステージプレートと、
を備えることを特徴とする顕微鏡ステージ。
【請求項２】
前記ステージプレートは、前記顕微鏡本体が備える透過照明装置から照射される透過照明光が通過する開口部が形成されていることを特徴とする請求項１に記載の顕微鏡ステージ。
【請求項３】
前記ステージプレートは、前記顕微鏡本体が備える透過照明装置から照射される透過照明光に対する透過率が高い樹脂シートによって形成されていることを特徴とする請求項１に記載の顕微鏡ステージ。
【請求項４】
前記ステージプレートは、前記横ガイド部に対して着脱可能に取り付けることができる取付け部を有することを特徴とする請求項１に記載の顕微鏡ステージ。
【請求項５】
前記ステージプレートの上面は、マット面であることを特徴とする請求項１〜４のいずれか１つに記載の顕微鏡ステージ。
【請求項６】
前記上ステージ部の上面には、オイルを逃がす溝が形成されており、
前記ステージプレートには、オイルを逃がす孔が形成されていることを特徴とする請求項１〜５のいずれか１つに記載の顕微鏡ステージ。
【発明の詳細な説明】
【技術分野】
【０００１】
本発明は、顕微鏡ステージに関する。
【背景技術】
【０００２】
生物標本を観察対象とする正立顕微鏡では、プレパラートをクレンメルで挟持する構成の顕微鏡ステージが一般的に用いられている（例えば、特許文献１参照）。このような顕微鏡ステージを使用して標本を観察する場合、まず、プレパラートをクレンメルに挟み込み、上ステージの上面に取り付ける。次に、顕微鏡ステージの操作ハンドルを操作して、クレンメル及び上ステージを移動させ、所望の位置にプレパレートを位置決めする。このとき、倍率の高いレンズ程、精密に位置決めを行う必要がある。
【０００３】
また、低倍の対物レンズを主体とした観察を行う場合には、顕微鏡ステージの移動しないプレーンステージが用いられる場合もある。プレーンステージは、その上面に置かれたプレパラートを直接手で移動させて所望の位置に合わせるため、顕微鏡ステージの操作ハンドルを使用したステージ送りよりも素早く位置決めを行うことができる。
【先行技術文献】
【特許文献】
【０００４】
【特許文献１】実開平６−１５０１９号公報
【発明の概要】
【発明が解決しようとする課題】
【０００５】
ところで、正立顕微鏡を使用した検体検査では、数多くの検体を取り扱うため、簡易な操作で位置決めを行うことができ、使用者の負担を低減することができる顕微鏡ステージが求められている。
【０００６】
本発明は、上記に鑑みてなされたものであって、簡易な構成であり、かつ簡易な操作で位置決めを行うことができる顕微鏡ステージを提供することを目的とする。
【課題を解決するための手段】
【０００７】
上述した課題を解決し、目的を達成するために、本発明の一態様に係る顕微鏡ステージは、顕微鏡本体に固定される下ステージ部と、前記下ステージ部に対して予め定められた方向へ移動可能に保持される上ステージ部と、前記上ステージ部に対して前記予め定められた方向に直交する方向へ移動可能に保持される横ガイド部と、前記上ステージ部及び前記横ガイド部を移動させる操作を受け付ける操作ハンドルと、前記横ガイド部に保持されており、標本が載置されるステージプレートであって、曲げ剛性が小さい樹脂シートによって形成されており、主面が前記上ステージ部の上面と接触しているステージプレートと、を備えることを特徴とする。
【０００８】
また、本発明の一態様に係る顕微鏡ステージは、前記ステージプレートは、前記顕微鏡本体が備える透過照明装置から照射される透過照明光が通過する開口部が形成されていることを特徴とする。
【０００９】
また、本発明の一態様に係る顕微鏡ステージは、前記ステージプレートは、前記顕微鏡本体が備える透過照明装置から照射される透過照明光に対する透過率が高い樹脂シートによって形成されていることを特徴とする。
【００１０】
また、本発明の一態様に係る顕微鏡ステージは、前記ステージプレートは、前記横ガイド部に対して着脱可能に取り付けることができる取付け部を有することを特徴とする。
【００１１】
また、本発明の一態様に係る顕微鏡ステージは、前記ステージプレートの上面は、マット面であることを特徴とする。
【００１２】
また、本発明の一態様に係る顕微鏡ステージは、前記上ステージ部の上面には、オイルを逃がす溝が形成されており、前記ステージプレートには、オイルを逃がす孔が形成されていることを特徴とする。
【発明の効果】
【００１３】
本発明によれば、簡易な構成であり、かつ簡易な操作で位置決めを行うことができる顕微鏡ステージを実現することができる。
【図面の簡単な説明】
【００１４】
【図１】図１は、本発明の実施の形態１に係る顕微鏡ステージにプレパラート標本を載置した状態を表す斜視図である。
【図２】図２は、図１に示す顕微鏡ステージ本体の斜視図である。
【図３】図３は、図１に示す顕微鏡ステージ本体を背面から見た斜視図である。
【図４】図４は、図１に示すステージプレートの斜視図である。
【図５】図５は、図１に示す押さえ部材の斜視図である。
【図６】図６は、顕微鏡ステージにクレンメルを載置した状態を表す斜視図である。
【図７】図７は、図６に示すクレンメルの斜視図である。
【図８】図８は、本発明の実施の形態２に係る顕微鏡ステージにプレパラート標本を載置した状態を表す斜視図である。
【図９】図９は、図８に示すステージプレートの斜視図である。
【図１０】図１０は、本発明の実施の形態３に係る顕微鏡ステージにプレパラート標本を載置した状態を表す斜視図である。
【図１１】図１１は、本発明の実施の形態３の変形例に係る顕微鏡ステージにプレパラート標本を載置した状態を表す斜視図である。
【発明を実施するための形態】
【００１５】
以下に、図面を参照して本発明に係る顕微鏡ステージの実施の形態を説明する。なお、これらの実施の形態により本発明が限定されるものではない。本発明は、顕微鏡ステージ一般に適用することができる。
【００１６】
また、図面の記載において、同一又は対応する要素には適宜同一の符号を付している。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１７】
（実施の形態１）
図１は、本発明の実施の形態１に係る顕微鏡ステージにプレパラート標本を載置した状態を表す斜視図である。図１に示すように、顕微鏡ステージ１００の上面には、プレパラート標本１がコンデンサ２の上方に位置するように載置される。
【００１８】
図２は、図１に示す顕微鏡ステージ本体の斜視図である。図３は、図１に示す顕微鏡ステージ本体を背面から見た斜視図である。図２及び図３に示すように、顕微鏡ステージ本体１０は、不図示の顕微鏡本体に固定される下ステージ部２０と、下ステージ部２０上に配置されている上ステージ部３０と、上ステージ部３０に取り付けられている横ガイド部４０と、上ステージ部３０及び横ガイド部４０を移動させる使用者の操作を受け付ける操作ハンドル５０と、を備える。顕微鏡ステージ１００は、顕微鏡ステージ本体１０と、横ガイド部４０に保持されており、標本が載置されるステージプレート６０と、を備える。
【００１９】
下ステージ部２０の左右両側には、ガイド溝２１が形成されている。上ステージ部３０の左右のガイド溝２１に対向する位置には、ガイド溝３１が形成されている。これらのガイド溝２１及びガイド溝３１の間には摺動板２２と不図示の転がり部材とが組み付けられており、上ステージ部３０は、下ステージ部２０に対してガイド溝２１及びガイド溝３１に沿って予め定められた方向（顕微鏡に対峙する使用者に対する前後方向）へ移動可能に保持されている。
【００２０】
また、図２及び図３に示すように、上ステージ部３０の中央付近には、不図示の透過照明装置から照射される透過照明光がコンデンサ２を通してプレパラート標本１に照射されるように、長穴形状の開口部３４が形成されている。
【００２１】
また、上ステージ部３０の背面側には、ガイド溝３２が形成されている。横ガイド部４０の背面側のガイド溝３２に対向する位置には、ガイド溝４１が形成されている。これらのガイド溝３２及びガイド溝４１の間には不図示の摺動板と不図示の転がり部材とが組み付けられており、横ガイド部４０は、上ステージ部３０に対してガイド溝３２及びガイド溝４１に沿って前後方向に直交する方向（顕微鏡に対峙する使用者に対する左右方向）へ移動可能に保持されている。
【００２２】
横ガイド部４０の上面には、ステージプレート６０を装着する取付け部４２が設けられている。取付け部４２には、図２及び図３に示すように、取付け面４３と、位置決め壁４４と、不図示のネジ穴とが形成されている。そして、ネジ穴には、固定つまみ４５が螺合されている。
【００２３】
操作ハンドル５０は、上ステージ部操作部５１と横ガイド部操作部５２とに分かれており、不図示の既知の伝達機構により、上ステージ部３０と横ガイド部４０とがそれぞれ独立して移動できるように構成されている。
【００２４】
図４は、図１に示すステージプレートの斜視図である。図５は、図１に示す押さえ部材の斜視図である。図４及び図５に示すように、ステージプレート６０及び押さえ部材７０には、横ガイド部４０に対して着脱可能に取り付けることができる取付け部として２つのＵ字溝６１及びＵ字溝７１と、一対の位置決め壁６２及び位置決め壁７２とがそれぞれ形成されている。このＵ字溝６１及びＵ字溝７１と、位置決め壁６２及び位置決め壁７２とによって、ステージプレート６０と押さえ部材７０とは、固定つまみ４５を取り外すことなく、横ガイド部４０に当て付けて位置決めできるように構成されている。図１及び図２に示すようにステージプレート６０は、固定つまみ４５を不図示のネジ穴に螺合することにより押圧され、押さえ部材７０を介して横ガイド部４０に固定されている。
【００２５】
ステージプレート６０は、曲げ剛性が小さい樹脂シートによって形成されている。本明細書において、曲げ剛性が小さいとは、ステージプレート６０が横ガイド部４０に固定された状態において、ステージプレート６０の主面が上ステージ部３０の上面３３に倣うように接触する程度に曲げ剛性が小さいことを意味する。なお、主面とは、ステージプレート６０の表面（上面）及び裏面（下面）を指し、ステージプレート６０の下面が上ステージ部３０の上面３３に接している。曲げ剛性が小さいステージプレート６０は、具体的には、ステージプレート６０を曲げ弾性率が低く、かつ板厚が薄い樹脂シート素材によって形成することにより実現することができる。このため、操作ハンドル５０を操作して、横ガイド部４０を左右方向に移動させた際にも、ステージプレート６０は、上ステージ部３０の上面３３に倣って接触している状態を保ちながら移動する。
【００２６】
なお、このステージプレート６０は、観察時に後述するプレパラート標本１が載置されるため、耐薬品性の優れた材料からなることが好ましい。ただし、特殊な素材を用いると、高価になるため、ステージプレート６０は、例えば、汎用素材のポリエステルシートやポリアセタールシートからなる。ステージプレート６０をポリエステルシートにより製造する場合、例えば、ステージプレート６０の大きさが１００ｍｍ×１００ｍｍ程度の場合に、板厚は０．１５ｍｍ以上０．２ｍｍ以下程度が実用的である。このとき、ステージプレート６０の縦弾性係数は４ＧＰａ程度、断面２次モーメントは０．０３〜０．０６ｍｍ４程度になる。
【００２７】
また、図１に示すように、ステージプレート６０の中央付近には、顕微鏡本体が備える不図示の透過照明装置から照射される透過照明光が通過する長穴形状の開口部６３が形成されている。そして、ステージプレート６０には、開口部６３を跨ぐように開口部６３の上にプレパラート標本１が設置される。図１に示すように、プレパラート標本１は、ステージプレート６０の上面に置かれているため、手で動かしてその設置位置を容易に素早く変えることが可能になっている。なお、プレパラート標本１の下面はガラス面であり、極めて平滑であるため、ステージプレート６０の上面が同様な平滑面であると、プレパラート標本１を手で押し付けて動かす際にその押圧力でステージプレート６０とプレパラート標本１とが吸着してしまうことがある。このため、ステージプレート６０の上面は、プレパラート標本１が吸着しないような適度なマット面になっていることが好ましい。
【００２８】
一方、ステージプレート６０の下面は、上ステージ部３０の上面３３と接触しながら移動するが、操作ハンドル５０を使用した移動においては、下方向に大きな押圧力が発生しないため、上面と同様のマット面でなくても構わない。
【００２９】
押さえ部材７０は、金属などの表面硬度の硬い材質で形成されており、固定つまみ４５をネジ穴に螺合することにより押圧されてＵ字溝６１及びＵ字溝７１の周辺が変形することを防止する。
【００３０】
図６は、顕微鏡ステージにクレンメルを載置した状態を表す斜視図である。図６に示すように、顕微鏡ステージ１００には、ステージプレート６０の代わりにクレンメル８０を取り付けることができる。
【００３１】
図７は、図６に示すクレンメルの斜視図である。図７に示すように、クレンメル８０には、ステージプレート６０と同様に、取付け部としてのＵ字溝８１及び位置決め壁８２が形成されており、横ガイド部４０の取付け部４２に取り付けられるようになっている。
【００３２】
次に、顕微鏡ステージ１００の作用について説明する。ステージプレート６０は、ステージプレート６０が横ガイド部４０の取付け部４２に位置決めされ、押さえ部材７０を介して固定つまみ４５で固定される。横ガイド部４０に装着されたステージプレート６０は、その下面が上ステージ部３０の上面３３に倣って接触する。ステージプレート６０の上面に置かれたプレパラート標本１は、所定の外力が加わると、吸着することなくステージプレート６０の上面を摺動する。このとき、ステージプレート６０の上面は適度なマット面であるため、プレパラート標本１が不用意に移動したり、ステージプレート６０が横ガイド部４０と一緒に移動したりすることはなく、所望の位置に位置決めされる。また、操作ハンドル５０の横ガイド部操作部５２を操作すると、横ガイド部４０が左右方向に移動し、プレパラート標本１が設置されたステージプレート６０は、上ステージ部３０の上面３３と摺動しながら左右方向に移動する。ステージプレート６０は樹脂素材のため、上ステージ部３０の上面３３と滑らかに摺動し、所望の位置で正確に位置決めされる。一方、操作ハンドル５０の上ステージ部操作部５１を操作すると、上ステージ部３０と横ガイド部４０が一緒に前後方向に移動する。プレパラート標本１が設置されたステージプレート６０もそれと合わせて前後方向に移動し、所望の位置で正確に位置決めされる。
【００３３】
不図示の透過照明装置からの透過照明光は、コンデンサ２を通して所定の光学性能で出射され、上ステージ部３０の開口部３４とステージプレート６０の開口部６３とを通過し、プレパラート標本１に照射される。また、固定つまみ４５を緩めると、ステージプレート６０を横ガイド部４０から取り外すことができ、クレンメル８０を横ガイド部４０に取り付けることができる。なお、クレンメル８０によりプレパラート標本１を挟持すると、プレパラート標本１の下面が上ステージ部３０の上面３３に直接接触する。このため、クレンメル８０とステージプレート６０では、ステージプレート６０の板厚分だけ、プレパラート標本１の設置高さが変化する。
【００３４】
なお、本実施の形態１では、ガイド溝２１及びガイド溝３１に摺動板２２と不図示の転がり部材を組み付けているが、これに限定されず、円滑に移動可能な別の方式の直動ガイドでも構わない。
【００３５】
また、ステージプレート６０と押さえ部材７０とを別体として構成しているが、一体として構成してもよい。また、押さえ部材７０は、なくてもよい。その場合、ステージプレート６０のＵ字溝６１近傍が補強されている構成であってもよい。
【００３６】
また、ステージプレート６０の開口部６３は、上ステージ部３０の前後方向の移動ストロークを考慮して長穴にしているが、丸穴等その他の形状としてもよい。操作ハンドル５０による移動量が少なくても手による位置決めで補うことが可能である。
【００３７】
また、ステージプレート６０は、プレパラート標本１が設置された状態でプレパラート標本１の直下が上ステージ部３０の上面３３に倣っていればよく、プレパラート標本１が設置されていない無負荷の状態で反りや浮き上がりがあっても構わない。
【００３８】
以上のように本実施の形態１の顕微鏡ステージ１００によれば、プレパラート標本１をステージプレート６０の上に設置して、直接手で素早く位置合わせすることができる。また、操作ハンドル５０でステージプレート６０を移動させて、正確に位置合わせすることもできる。ステージプレート６０は、樹脂で構成されているため、金属等に比べて素材の単価が安い。また、素材の平面度を高精度に仕上げなくても上ステージ部３０の上面３３に容易に倣うように接触するため、安価に製作できる。さらに、ステージプレート６０が摺動しても、上ステージ部３０の上面３３に傷が付き難く、磨耗も少ない。また、ステージプレート６０の開口部６３を跨ぐようにプレパラート標本１を設置し、透過照明光がその開口部６３を通過するようにステージプレート６０を配置すると、透過照明でプレパラート標本１を観察できる。
【００３９】
なお、透過照明光学系は、通常、上ステージ部３０の上面３３にプレパラート標本１が直接設置された状態（クレンメル８０使用時）を基準に最適設計されているため、その位置から上方に離れるに従って性能が低下する。しかしながら、ステージプレート６０は板厚が薄いため、上ステージ部３０の上面３３からプレパラート標本１までの距離が短く、透過照明性能の低下が抑えられる。
【００４０】
さらに、顕微鏡ステージ１００では、ステージプレート６０とクレンメル８０とを交換することができるため、用途に応じて使い分けることが可能であり汎用性に優れている。
【００４１】
従来のプレパラートをクレンメルで挟持する構成の顕微鏡ステージでは、プレパラートをクレンメルに挟み込む手間がかかるが、ステージプレート６０では、この手間がかからない。
【００４２】
また、プレパラートをクレンメルに挟み込む手間を省くため、クレンメルの上に直接プレパラートを置いて観察を行う使用者がいるが、クレンメルの上に直接プレパラートを置いてしまうと、片ボケが発生しやすいため、焦点深度が浅くなる高倍の観察には適していない。さらに、クレンメルの厚さ分だけコンデンサからプレパラートまでの距離が遠ざかるため、十分な照明性能を得ることができない。ステージプレート６０では、クレンメルを使用せずに観察を行うことができるため、このようなことが起こらない。
【００４３】
また、クレンメルの代わりに剛体の板状部品を装着して観察する方法もあるが、板状部品は片ボケしないように平面度を高精度に仕上げなければならないため、製造コストが高くなる。さらに、この平面度を確保するために、板状部品は、板厚を厚くして剛性を高めなければならないが、その板厚分だけコンデンサからプレパラートまでの距離も遠ざかるため、照明性能が低下してしまう。これに対して、ステージプレート６０では、安価に簡易な構成であり、かつ簡易な操作で位置決めを行うことができる顕微鏡ステージを提供できる。
【００４４】
また、プレーンステージは、低倍観察時に素早い位置決めができるが、高倍観察時に求められる正確な位置決めが困難である。粗動クラッチ付きのステージであれば、上記の両立が可能であるが、機構が複雑になるため、安価に提供することができない。これに対して、ステージプレート６０では、安価に簡易な構成であり、かつ簡易な操作で位置決めを行うことができる顕微鏡ステージを提供できる。
【００４５】
（実施の形態２）
図８は、本発明の実施の形態２に係る顕微鏡ステージにプレパラート標本を載置した状態を表す斜視図である。図８に示すように、実施の形態２に係る顕微鏡ステージ２００は、実施の形態１に対してステージプレート２６０のみ異なっている。実施の形態１と同一の構成には、同一の符号を付し、適宜説明を省略する。
【００４６】
ステージプレート２６０は、実施の形態１と同一の顕微鏡ステージ本体１０に固定されている。押さえ部材７０は実施の形態１と同一である。
【００４７】
図９は、図８に示すステージプレートの斜視図である。図９に示すように、ステージプレート２６０は、実施の形態１と同様の取付け部としてＵ字溝２６１及び位置決め壁２６２を備えているが、透過照明光を通過させる開口部６３（図２及び図３参照）は形成されていない。ステージプレート２６０は、実施の形態１と同様に、曲げ弾性率が低く、かつ板厚が薄い樹脂シート素材で形成されていることにより曲げ剛性が小さく、横ガイド部４０に固定された状態において、ステージプレート２６０の主面（下面）が上ステージ部３０の上面３３に倣って接触している。さらに、ステージプレート２６０は、不図示の顕微鏡本体が備える透過照明装置から照射される透過照明光に対する透過率が高い樹脂シートによって形成されている。本明細書において、透過率が高いとは、透過照明観察時にステージプレート２６０が観察に十分な光量の透過照明光を透過する程度に透過率が高いことを意味する。
【００４８】
ステージプレート２６０は、実施の形態１と同様に作用するが、開口部がないため、透過照明光が直接通過しない。ステージプレート２６０は、透過照明光を透過するような特性を備えているため、コンデンサ２から出射された透過照明光はステージプレート２６０を透過してプレパラート標本１に照射される。
【００４９】
なお、本実施の形態２では、ステージプレート２６０と押さえ部材７０とを別体として構成しているが、一体として構成してもよい。
【００５０】
また、ステージプレート２６０は、プレパラート標本１が設置された状態でプレパラート標本１の直下が上ステージ部３０の上面３３に倣えば良く、プレパラート標本１が設置されていない無負荷の状態で反りや浮き上がりがあっても構わない。
【００５１】
以上のように本実施の形態２の顕微鏡ステージ２００によれば、実施の形態１と同様の効果が得られる。さらに、ステージプレート２６０をどの位置に配置しても透過照明光が透過するため、ステージプレート２６０の位置に制限されることなくプレパラート標本１を設置して透過照明で観察できる。
【００５２】
（実施の形態３）
図１０は、本発明の実施の形態３に係る顕微鏡ステージにプレパラート標本を載置した状態を表す斜視図である。図１０に示すように、実施の形態３に係る顕微鏡ステージ３００は、実施の形態１に対して顕微鏡ステージ本体３１０の上ステージ部３３０及びステージプレート３６０のみ異なっている。実施の形態１と同一の構成には、同一の符号を付し、適宜説明を省略する。
【００５３】
上ステージ部３３０の上面には、左右方向に一連の深さを有する溝であるオイルを逃がすための溝３３１が形成されている。ステージプレート３６０には、中央の開口部の両側に細い矩形状の孔であるオイルを逃がすための孔３６１が形成されている。ステージプレート３６０は、顕微鏡ステージ本体３１０に固定されている。押さえ部材７０は実施の形態１と同一である。
【００５４】
ステージプレート３６０は、実施の形態１と同様の取付け部として不図示のＵ字溝及び位置決め壁を備え、透過照明光を通過させる不図示の開口部が形成されている。ステージプレート３６０は、実施の形態１と同様に、曲げ弾性率が低く、かつ板厚が薄い樹脂シート素材で形成されていることにより曲げ剛性が小さく、横ガイド部４０に固定された状態において、ステージプレート３６０の主面（下面）が上ステージ部３３０の上面に倣って接触している。
【００５５】
ステージプレート３６０は、実施の形態１と同様に作用する。さらに、ステージプレート３６０には、孔３６１が形成されているため、プレパラート標本１にオイルを点着して油浸観察を行う場合に、ステージプレート３６０とプレパラート標本１との間にオイルが流入した場合であっても、ステージプレート３６０とプレパラート標本１とが吸着してしまうことが防止されている。同様に、上ステージ部３３０の上面には、溝３３１が形成されているため、上ステージ部３３０とステージプレート３６０とが吸着してしまうことが防止されている。
【００５６】
なお、本実施の形態３では、ステージプレート３６０と押さえ部材７０とを別体として構成しているが、一体として構成してもよい。
【００５７】
また、ステージプレート３６０は、プレパラート標本１が設置された状態でプレパラート標本１の直下が上ステージ部３３０の上面に倣えば良く、プレパラート標本１が設置されていない無負荷の状態で反りや浮き上がりがあっても構わない。
【００５８】
以上のように本実施の形態３の顕微鏡ステージ３００によれば、実施の形態１と同様の効果が得られる。さらに、上ステージ部３３０の上面に溝３３１が、ステージプレート３６０に孔３６１が、それぞれ形成されているため、各部材間がオイルにより吸着することが防止されており、油浸観察を行う場合に使用者が操作しやすい。
【００５９】
（変形例）
図１１は、本発明の実施の形態３の変形例に係る顕微鏡ステージにプレパラート標本を載置した状態を表す斜視図である。図１１に示すように、変形例に係る顕微鏡ステージ３００Ａは、実施の形態３に対してステージプレート３６０Ａのみ異なっている。
【００６０】
ステージプレート３６０Ａには、中央の開口部の両側に配列された小径の円形状の複数の孔であるオイルを逃がすための孔３６２Ａが形成されている。このように、孔の形状は特に限定されない。
【００６１】
以上のように本変形例の顕微鏡ステージ３００Ａによれば、実施の形態３と同様の効果が得られる。
【００６２】
さらなる効果や変形例は、当業者によって容易に導き出すことができる。よって、本発明のより広範な態様は、以上のように表わしかつ記述した特定の詳細及び代表的な実施形態に限定されるものではない。従って、添付のクレーム及びその均等物によって定義される総括的な発明の概念の精神又は範囲から逸脱することなく、様々な変更が可能である。
【符号の説明】
【００６３】
１  プレパラート標本
２  コンデンサ
１０、３１０  顕微鏡ステージ本体
２０  下ステージ部
２１、３１、３２、４１  ガイド溝
２２  摺動板
３０、３３０  上ステージ部
３３  上面
３４、６３  開口部
４０  横ガイド部
４２  取付け部
４３  取付け面
４４  位置決め壁
４５  固定つまみ
５０  操作ハンドル
５１  上ステージ部操作部
５２  横ガイド部操作部
６０、２６０、３６０、３６０Ａ  ステージプレート
６１、７１、８１、２６１  Ｕ字溝
６２、７２、８２、２６２  位置決め壁
７０  押さえ部材
８０  クレンメル
１００、２００、３００、３００Ａ  顕微鏡ステージ
３３１  溝
３６１、３６２Ａ  孔
【図１】
2018072439.tif 000003
【図２】
2018072439.tif 000004
【図３】
2018072439.tif 000005
【図４】
2018072439.tif 000006
【図５】
2018072439.tif 000007
【図６】
2018072439.tif 000008
【図７】
2018072439.tif 000009
【図８】
2018072439.tif 000010
【図９】
2018072439.tif 000011
【図１０】
2018072439.tif 000012
【図１１】
2018072439.tif 000013